(57)【要約】【課題】操作性を確保しつつ、人為的なミスの発生を防止できるホッパ及び組合せ計量装置を提供する。【解決手段】ホッパは、物品が投入される第１開口５１ａ及び物品が排出される第２開口５１ｂを有する本体５１と、第２開口５１ｂに対して開閉可能なゲート５２と、第２開口５１ｂに対してゲート５２を開閉させるリンク機構５３と、を備え、リンク機構５３は、ゲート５２の開閉動作の操作が可能である操作部５６を有し、ゲート５２は、操作部５６の操作に応じて動作が制御されると共に、操作部５６が操作されていないときに開閉自在である．【選択図】図２
2018154472.tif 000002
【特許請求の範囲】
【請求項１】
計量装置に取り付けられるホッパであって、
物品が投入される第１開口及び前記物品が排出される第２開口を有する本体と、
前記第２開口に対して開閉可能なゲートと、
前記第２開口に対して前記ゲートを開閉させるリンク機構と、を備え、
前記リンク機構は、前記ゲートの開閉動作の操作が可能である操作部を有し、
前記ゲートは、前記操作部の操作に応じて動作が制御されると共に、前記操作部が操作されていないときに開閉自在である、ホッパ。
【請求項２】
前記操作部は、突起部分を有している、請求項１に記載のホッパ。
【請求項３】
前記操作部は、作業者が前記本体を把持したときに、前記本体を把持した手の指で操作可能な位置に設けられる、請求項１又は２に記載のホッパ。
【請求項４】
前記操作部は、前記第１開口から外側に突出しない位置に配置される、請求項１〜３のいずれか一項に記載のホッパ。
【請求項５】
物品を搬送する搬送部と、
前記搬送部によって搬送された前記物品を一時的に貯留する複数のホッパと、
前記ホッパに貯留された前記物品の質量に応じた計量値を計量する計量部と、
前記計量部によって計量され且つ複数の前記ホッパにそれぞれ対応付けられた複数の前記計量値から、合計値が目標計量値となるように前記計量値の組合せを選択し、当該組合せに対応する前記ホッパに前記物品を排出させる制御部と、を備え、
複数の前記ホッパのそれぞれは、
前記物品が投入される第１開口及び前記物品が排出される第２開口を有する本体と、
前記第２開口に対して開閉可能なゲートと、
前記第２開口に対して前記ゲートを開閉させるリンク機構と、を備え、
前記リンク機構は、前記ゲートの開閉動作の操作が可能である操作部を有し、
前記ゲートは、前記操作部の操作に応じて動作が制御されると共に、前記操作部が操作されていないときに開閉自在である、組合せ計量装置。
【請求項６】
隣り合う位置に配置された一対の前記ホッパにおいて、各前記ホッパの前記操作部は、互いに向き合う位置に配置される、請求項５に記載の組合せ計量装置。
【発明の詳細な説明】
【技術分野】
【０００１】
本発明は、ホッパ及び組合せ計量装置に関する。
【背景技術】
【０００２】
特許文献１には、物品を一時的に貯留する複数のホッパを備える組合せ計量装置が記載されている。特許文献１記載のホッパは、物品が投入される第１開口及び物品が排出される第２開口を有する本体と、第２開口に対して開閉可能なゲートと、手動でゲートの開閉動作をロックするためのロック機構と、を備える。
【先行技術文献】
【特許文献】
【０００３】
【特許文献１】特開２０１６−１３２５６８号公報
【発明の概要】
【発明が解決しようとする課題】
【０００４】
上述した従来のホッパは、例えば清掃等のために計量装置から取り外したときに、ロック機構を手動で作動させることで、ゲートが開くことを防止できる。この構成のホッパでは、計量装置に対してホッパを取り付けるときに、ロックを手動で解除する必要がある。計量装置には、複数のホッパが取り付けられる。そのため、ホッパを計量装置に対して取り付けるときに、作業者がロックの解除を忘れる等の人為的なミスが発生し得る。
【０００５】
本発明の一側面は、操作性を確保しつつ、人為的なミスの発生を防止できるホッパ及び組合せ計量装置の提供を目的とする。
【課題を解決するための手段】
【０００６】
本発明の一側面に係るホッパは、計量装置に取り付けられるホッパであって、物品が投入される第１開口及び物品が排出される第２開口を有する本体と、第２開口に対して開閉可能なゲートと、第２開口に対してゲートを開閉させるリンク機構と、を備え、リンク機構は、ゲートの開閉動作の操作が可能である操作部を有し、ゲートは、操作部の操作に応じて動作が制御されると共に、操作部が操作されていないときに開閉自在である。
【０００７】
本発明の一側面に係るホッパでは、リンク機構は、ゲートの開閉動作の操作が可能である操作部を有する。ゲートは、操作部の操作に応じて動作が制御されると共に、操作部が操作されていないときに開閉自在である。この構成では、ホッパを計量装置から取り外したときに、作業者が操作部を操作することにより、ゲートが勝手に開閉することを制御できる。そのため、ホッパを運ぶとき等にゲートを手で押さえる必要がない。したがって、ホッパの操作性を確保できる。また、操作部を操作しないときには、ゲートが開閉自在となる。そのため、ホッパを計量装置に取り付けたときに、ゲートがロックされていることがない。したがって、ホッパでは、作業者がロックの解除を忘れる等の人為的なミスの発生を防止できる。
【０００８】
一実施形態においては、操作部は、突起部分を有していてもよい。この構成では、操作部を容易に操作できる。
【０００９】
一実施形態においては、操作部は、作業者が本体を把持したときに、本体を把持した手の指で操作可能な位置に設けられていてもよい。この構成では、作業者が片手で本体を把持した状態で、その手で操作部を操作することが可能となる。したがって、両方の手のそれぞれでホッパを把持した場合であっても、それぞれのホッパの操作部を操作できる。
【００１０】
一実施形態においては、操作部は、第１開口から外側に突出しない位置に配置されてもよい。この構成では、ホッパが計量装置に取り付けられたときに、操作部に物品が接触して操作部に物品が付着し、物品が本体の第１開口に投入されない事態の発生を抑制できる。したがって、計量装置の計量精度の低下を抑制できる。
【００１１】
本発明の一側面に係る組合せ計量装置は、物品を搬送する搬送部と、搬送部によって搬送された物品を一時的に貯留する複数のホッパと、ホッパに貯留された物品の質量に応じた計量値を計量する計量部と、計量部によって計量され且つ複数のホッパにそれぞれ対応付けられた複数の計量値から、合計値が目標計量値となるように計量値の組合せを選択し、当該組合せに対応するホッパに物品を排出させる制御部と、を備え、複数のホッパのそれぞれは、物品が投入される第１開口及び物品が排出される第２開口を有する本体と、第２開口に対して開閉可能なゲートと、第２開口に対してゲートを開閉させるリンク機構と、を備え、リンク機構は、ゲートの開閉動作の操作が可能である操作部を有し、ゲートは、操作部の操作に応じて動作が制御されると共に、操作部が操作されていないときに開閉自在である。
【００１２】
本発明の一側面に係る組合せ計量装置では、ホッパのリンク機構は、ゲートの開閉動作の操作が可能である操作部を有する。ゲートは、操作部の操作に応じて動作が制御されると共に、操作部が操作されていないときに開閉自在である。この構成では、ホッパを計量装置から取り外したときに、作業者が操作部を操作することにより、ゲートが勝手に開閉することを制御できる。そのため、ホッパを運ぶとき等にゲートを手で押さえる必要がない。したがって、組合せ計量装置のホッパでは、操作性を確保できる。また、操作部を操作しないときには、ゲートが開閉自在となる。そのため、ホッパを計量装置に取り付けたときに、ゲートがロックされていることがない。したがって、組合せ計量装置のホッパでは、作業者がロックの解除を忘れる等の人為的なミスの発生を防止できる。
【００１３】
一実施形態においては、隣り合う位置に配置された一対のホッパにおいて、各ホッパの操作部は、互いに向き合う位置に配置されていてもよい。この構成では、一対のホッパを一人の作業者が例えば取り外す場合において、それぞれのホッパを片手で把持したときに、各手の親指で操作できる領域に操作部が位置する。これにより、操作部を容易に操作できる。したがって、操作性の向上を図れる。
【発明の効果】
【００１４】
本発明の一側面によれば、操作性を確保しつつ、人為的なミスの発生を防止できる。
【図面の簡単な説明】
【００１５】
【図１】図１は、一実施形態に係る組合せ計量装置の構成図である。
【図２】図２は、ホッパを示す側面図である。
【図３】図３は、ホッパを示す側面図である。
【図４】図４は、ホッパを示す側面図である。
【発明を実施するための形態】
【００１６】
以下、添付図面を参照して、本発明の好適な実施形態について詳細に説明する。なお、図面の説明において同一又は相当要素には同一符号を付し、重複する説明は省略する。
【００１７】
［組合せ計量装置の全体構成］
図１に示されるように、組合せ計量装置（計量装置）１は、投入シュート（搬送部）２と、分散フィーダ（搬送部）３と、複数の放射フィーダ（搬送部）４と、複数のプールホッパ（ホッパ）５と、複数の計量ホッパ６と、集合シュート８と、タイミングホッパ９と、計量部１１と、制御部１４と、を備える。組合せ計量装置１は、搬送コンベア５０によって供給される物品Ａ（農産物、水産物、加工食品等のように、単体質量にばらつきのある物品）を目標計量値となるように計量して製袋包装機６０に供給する。なお、製袋包装機６０は、フィルムを所定容量の袋に成形しつつ、組合せ計量装置１によって計量されて供給された物品Ａを袋詰めする。
【００１８】
投入シュート２は、搬送コンベア５０の搬送端５０ａの下方に配置される。投入シュート２は、外部から搬送コンベア５０によって搬送されて搬送コンベア５０の搬送端５０ａから落下した物品Ａを受けて下方に排出する。
【００１９】
分散フィーダ３は、投入シュート２の下方に配置される。分散フィーダ３は、下方に向かって末広がりの円錐状の搬送面３ａを有する。分散フィーダ３は、搬送面３ａを振動させることで、投入シュート２から搬送面３ａの頂部に排出された物品Ａを搬送面３ａの外縁に向かって均一に搬送する。
【００２０】
複数の放射フィーダ４は、分散フィーダ３の搬送面３ａの外縁に沿って放射状に配置される。各放射フィーダ４は、搬送面３ａの外縁の下方から外側に延在するトラフ４ａを有する。各放射フィーダ４は、トラフ４ａを振動させることで、搬送面３ａの外縁から排出された物品Ａをトラフ４ａの先端部に向かって搬送する。
【００２１】
複数のプールホッパ５は、例えば鉛直方向に平行な中心線（図示省略）を囲むように配置される。各プールホッパ５は、各放射フィーダ４のトラフ４ａの先端部の下方に配置される。各プールホッパ５は、本体５１と、ゲート５２と、を有する。本体５１には、物品Ａが投入される第１開口５１ａ及び物品Ａが排出される第２開口６１ｂ（図３参照）が形成される。ゲート５２は、本体５１の第２開口５１ｂに対して開閉可能である。各プールホッパ５は、ゲート５２を閉じることで対応するトラフ４ａの先端部から排出された物品Ａを本体５１内に一時的に貯留する。更に、各プールホッパ５は、ゲート５２を開くことで、本体５１内に一時的に貯留した物品Ａを下方に排出する。
【００２２】
複数の計量ホッパ６は、例えば上記中心線を囲むように配置される。各計量ホッパ６は、各プールホッパ５のゲート５ａの下方に配置される。各計量ホッパ６は、その底部に対して開閉可能なゲート６ａを有する。各計量ホッパ６は、ゲート６ａを閉じることで、対応するプールホッパ５から排出された物品Ａを一時的に貯留する。更に、各計量ホッパ６は、ゲート６ａを開くことで、一時的に貯留した物品Ａを下方に排出する。
【００２３】
集合シュート８は、各計量ホッパ６から排出された物品Ａを排出口８ａに集合させる。排出口８ａは、複数の計量ホッパ６に対して下側且つ上記中心線上に位置する。集合シュート８は、上段シュート部８１と、下段シュート部８２と、を有する。上段シュート部８１は、各計量ホッパ６から排出された物品Ａを受けて当該物品Ａを排出口８ａ側に滑走させる。下段シュート部８２は、下方に向かって先細りの円錐台状の筒体であり、上側の開口８２ａ及び下側の開口８２ｂを有する。下段シュート部８２は、下側の開口８２ｂを排出口８ａとして、当該排出口８ａから物品Ａを下方に排出する。
【００２４】
タイミングホッパ９は、排出口８ａの下方に配置される。タイミングホッパ９は、その底部に対して開閉可能なゲート９ａを有する。タイミングホッパ９は、ゲート９ａを閉じることで、集合シュート８から排出された物品Ａを一時的に貯留する。更に、タイミングホッパ９は、ゲート９ａを開くことで、一時的に貯留した物品Ａを製袋包装機６０に排出する。
【００２５】
計量部１１は、フレーム１２に支持されたケース１３内に配置される。計量部１１は、複数のロードセル１１ａを有する。各ロードセル１１ａは、対応する計量ホッパ６を支持する。計量部１１は、各計量ホッパ６に物品Ａが一時的に貯留される際に、当該物品Ａの質量に応じた計量値を計量する。
【００２６】
制御部１４は、ケース１３内に配置される。制御部１４は、ＣＰＵ（Central  Processing  Unit）、ＲＯＭ（Read  Only  Memory）、ＲＡＭ（Random  Access  Memory）等を有する。制御部１４は、分散フィーダ３及び放射フィーダ４の搬送動作、各プールホッパ５のゲート５ａの開閉動作、各計量ホッパ６のゲート６２の開閉動作、並びにタイミングホッパ９のゲート９ａの開閉動作等、組合せ計量装置１の各部の動作を制御する。なお、制御部１４は、製袋包装機６０と通信可能に接続される。
【００２７】
制御部１４は、計量部１１によって計量された計量値と、当該計量値に対応する物品Ａを貯留する計量ホッパ６とを対応付けて記憶する。制御部１４は、計量部１１によって計量され且つ各計量ホッパ６に対応付けられた複数の計量値から、合計値が目標計量値となるように計量値の組合せを選択する。より具体的には、制御部１４は、計量部１１によって出力された複数の計量値から、目標計量値を下限値とする所定範囲内に合計値が収まるように計量値の組合せを選択する。そして、制御部１４は、当該組合せに対応する計量ホッパ６に物品Ａを排出させる。
【００２８】
なお、投入シュート２、分散フィーダ３、複数の放射フィーダ４、複数のプールホッパ５及び複数の計量ホッパ６は、ケース１３に直接的に又は間接的に支持される。集合シュート８及びタイミングホッパ９は、フレーム１２に直接的に又は間接的に支持される。
【００２９】
［プールホッパに関する構成］
プールホッパ５に関する構成について、図２、図３及び図４を参照しつつ説明する。以下の説明では、便宜上、組合せ計量装置１に取り付けられた状態にあるプールホッパ５について、「上」、「下」、「内」、「外」等の語を用いる。
【００３０】
［プールホッパの構成］
図２、図３及び図４に示されるように、プールホッパ５は、本体５１と、ゲート５２と、リンク機構５３と、取付部５９と、を備える。図２では、プールホッパ５のゲート５２が閉じている状態を示している。図３では、プールホッパ５のゲート５２が開く途中の状態を示している。図４では、プールホッパ５のゲート５２が開いた状態を示している。
【００３１】
本体５１には、第１開口５１ａ及び第２開口５１ｂが形成される。本体５１は、筒体である。第１開口５１ａは、上側に向く開口であり、第２開口５１ｂは、下側に向く開口である。本体５１の下部の側面は、下方に向かって先細りとなる形状を呈している。
【００３２】
ゲート５２は、第１ゲート５２Ａと、第２ゲート５２Ｂと、を有する。第１ゲート５２Ａは、本体５１の内側の第２開口５１ｂに対して開閉可能である。第１ゲート５２Ａは、本体６１に固定された固定部５８に設けられた軸５４ａを回転軸として回転可能であり、軸５４ａを回転軸として揺動することにより第２開口５１ｂを開閉する。第１ゲート５２Ａは、第２開口５１ｂを閉じる第１位置（図２で示す位置）と、第２開口５１ｂを開く第２位置（図４で示す位置）との間で揺動可能である。
【００３３】
第１ゲート５２Ａは、本体５１の外側の第２開口５１ｂに対して開閉可能である。第２ゲート５２Ｂは、本体６１に固定された固定部５７に設けられた軸５５ａを回転軸として回転可能であり、軸５５ａを回転軸として揺動することにより第２開口５１ｂを開閉する。第２ゲート５２Ｂは、第２開口５１ｂを閉じる第１位置（図２で示す位置）と、第２開口５１ｂを開く第２位置（図４で示す位置）との間で揺動可能である。
【００３４】
リンク機構５３は、第２開口５１ｂに対して第１ゲート５２Ａ及び第２ゲート５２Ｂを開閉させる。リンク機構５３は、第１可動部５４と、第２可動部５５と、操作部５６と、を有する。本実施形態では、リンク機構５３は、プールホッパ５を外側から見て、プールホッパ５の左側に設けられる。
【００３５】
第１可動部５４の一端部は、第１ゲート５２Ａに接続される。第１可動部５４の他端部は、操作部５６に連結される。第１可動部５４は、操作部５６の操作により、軸５４ａを回転軸として第１ゲート５２Ａを揺動させる。第１可動部５４には、突起部５４ｂが設けられている。突起部５４ｂは、取付部５９のガイド溝５９ａに位置する。第１可動部５４の突起部５４ｂは、取付部５９の動作により、ガイド溝５９ａ内で移動する。これにより、第１可動部５４は、軸５４ａを回転軸として第１ゲート５２Ａを揺動させる（リンク機構５３を動作させる）。
【００３６】
第２可動部５５は、第２ゲート５２Ｂに接続される。第２可動部５５の一端部は、第２ゲート５２Ｂに固定さる。第２可動部５５の他端部は、操作部５６に連結される。第２可動部５５は、操作部５６の操作により、軸５５ａを回転軸として第２ゲート５２Ｂを揺動させる。
【００３７】
操作部５６は、第１ゲート５２Ａ及び第２ゲート５２Ｂの開閉動作の操作が可能である。操作部５６は、第１可動部５４の他端部と第２可動部５５の他端部との間に連結される。操作部５６と第１可動部５４とは、互いに揺動自在に連結される。操作部５６と第２可動部５５とは、互いに揺動可能に連結される。
【００３８】
操作部５６は、例えば、Ｔ字状を呈する。操作部５６は、第１可動部５４及び第２可動部５５に連結される連結部分５６ａと、連結部分５６ａに対して略垂直に接続された突起部分５６ｂと、を有する。突起部分５６ｂは、作業者が本体５１を把持したときに、本体５１を把持した手の指で操作可能な位置に設けられる。突起部分５６ｂの上端部は、第１ゲート５２Ａ及び第２ゲート５２Ｂが第１位置に位置するときに、本体５１の第１開口５１ａから上方に突出する。
【００３９】
リンク機構５３では、操作部５６の突起部分５６ｂが外側に引き上げられると、操作部５６の動作に伴って第１可動部５４及び第２可動部５５が動作し、第１ゲート５２Ａ及び第２ゲート５２Ｂを閉じる方向に揺動させる。リンク機構５３では、操作部５６の突起部分５６ｂが内側に倒されると、操作部５６の動作に伴って第１可動部５４及び第２可動部５５が動作し、第１ゲート５２Ａ及び第２ゲート５２Ｂが開く方向に揺動させる。プールホッパ５では、組合せ計量装置１に取り付けられていない状態では、第１ゲート５２Ａ及び第２ゲート５２Ｂは第２位置となる。すなわち、プールホッパ５では、組合せ計量装置１に取り付けられていない状態では、本体５１の第２開口５１ｂが開いている。
【００４０】
取付部５９は、組合せ計量装置１に設けられた被取付部（図示省略）に対して着脱可能な構成を有する。取付部５９は、ガイド溝５９ａを有する。ガイド溝５９ａには、リンク機構５３の第１可動部５４の突起部５４ｂが位置する。取付部５９が被取付部に取り付けられた状態で、被取付部が可動すると、取付部５９が可動する。このとき、ガイド溝５９ａに位置する突起部５４ｂも移動させられる。これにより、第１可動部５４が可動する。その結果、リンク機構５３により、第１ゲート５２Ａ及び第２ゲート５３Ｂが開閉する。
【００４１】
続いて、上記構成を有するプールホッパ５の組合せ計量装置１に対する着脱手順について説明する。最初に、組合せ計量装置１からプールホッパ５を取り外す場合には、本体５１を把持する。このとき、本体５１を把持した手の例えば親指で、操作部５６を手前（組合せ計量装置１の外側）に引っ張る。そして、プールホッパ５の取付部５９を被取付部から取り外す。これにより、プールホッパ５を取り外したときに、第１ゲート５２Ａ及び第２ゲート５２Ｂが揺動することを防止できる。
【００４２】
次に、組合せ計量装置１に対してプールホッパ５を取り付ける場合には、本体５１を把持する。このとき、本体５１を把持した手の例えば親指で、操作部５６を手前（組合せ計量装置１の外側）に引っ張る。これにより、プールホッパ５を取り付けるときに、第１ゲート５２Ａ及び第２ゲート５２Ｂが揺動することを防止できる。そして、プールホッパ５の取付部５９を組合せ計量装置１の被取付部に取り付ける。取付部５９を被取付部に取り付けた後、操作部５６から指を離す。これにより、第１ゲート５２Ａ及び第２ゲート５２Ｂは、揺動自在な状態となる。
【００４３】
以上説明したように、本実施形態に係るプールホッパ５では、リンク機構５３は、第１ゲート５２Ａ及び第２ゲート５２Ｂの開閉動作の操作が可能である操作部５６を有する。第１ゲート５２Ａ及び第２ゲート５２Ｂは、操作部５６の操作に応じて動作が制御されると共に、操作部５６が操作されていないときに開閉自在である。この構成では、プールホッパ５を組合せ計量装置１から取り外したときに、作業者が操作部５６を操作することにより、第１ゲート５２Ａ及び第２ゲート５２Ｂが勝手に開閉することを制御できる。そのため、プールホッパ５を運ぶとき等に第１ゲート５２Ａ及び第２ゲート５２Ｂを手で押さえる必要がない。したがって、プールホッパ５の操作性を確保できる。また、操作部５６を操作しないときには、第１ゲート５２Ａ及び第２ゲート５２Ｂが開閉自在となる。そのため、プールホッパ５を組合せ計量装置１に取り付けたときに、第１ゲート５２Ａ及び第２ゲート５２Ｂがロックされていることがない。したがって、プールホッパ５では、作業者がロックの解除を忘れる等の人為的なミスの発生を防止できる。
【００４４】
本実施形態に係るプールホッパ５では、操作部５６は、突起部分５６ｂを有していている。この構成では、操作部５６を容易に操作できる。
【００４５】
本実施形態に係るプールホッパ５では、操作部５６は、作業者が本体５１を把持したときに、本体５１を把持した手の指で操作可能な位置に設けられている。この構成では、作業者が片手で本体５１を把持した状態で、その手で操作部５６を操作することが可能となる。したがって、両方の手のそれぞれでプールホッパ５を把持した場合であっても、それぞれのプールホッパ５の操作部５６を操作できる。
【００４６】
以上、本発明の実施形態について説明してきたが、本発明は必ずしも上述した実施形態に限定されるものではなく、その要旨を逸脱しない範囲で様々な変更が可能である。
【００４７】
上記実施形態では、プールホッパ５がリンク機構５３を備える形態を一例に説明した。しかし、リンク機構を備えるホッパは、他のホッパ（計量ホッパ６等）であってもよい。
【００４８】
上記実施形態では、操作部５６の突起部分５６ｂが本体５１の第１開口５１ａから突出する形態を一例に説明した。しかし、操作部は、第１開口から外側に突出しない位置に配置されてもよい。この構成では、プールホッパが組合せ計量装置に取り付けられたときに、操作部に物品が接触して操作部に物品が付着し、物品が本体の第１開口に投入されない事態の発生を抑制できる。したがって、組合せ計量装置の計量精度の低下を抑制できる。
【００４９】
上記実施形態では、操作部５６が本体５１の上側に位置する形態を一例に説明した。しかし、操作部の位置はこれに限定されない。操作部は、作業者が本体５１を把持したときに、本体５１を把持した手の指で操作可能な位置に設けられていればよい。
【００５０】
上記実施形態では、リンク機構５３がプールホッパ５の左側に設けられる形態を一例に説明した。しかし、リンク機構５３は、プールホッパ５の右側に設けられてもよい。このように、リンク機構５３の設けられている位置が異なる場合、組合せ計量装置１には、以下のようにプールホッパ５が取り付けられることが好ましい。具体的には、隣り合う位置に配置された一対のプールホッパ５において、各プールホッパ５の操作部５６は、互いに向き合う位置に配置されることが好ましい。この構成では、一対のプールホッパ５を一人の作業者が例えば取り外す場合において、それぞれのプールホッパ５を片手で把持したときに、各手の親指で操作できる領域に操作部５６が位置する。これにより、操作部５６を容易に操作できる。したがって、操作性の向上を図れる。
【符号の説明】
【００５１】
１…組合せ計量装置（計量装置）、２…投入シュート（搬送部）、３…分散フィーダ（搬送部）、４…放射フィーダ（搬送部）、５…プールホッパ、５１…本体、５１ａ…第１開口、５１ｂ…第２開口、５２…ゲート、５２Ａ…第１ゲート、５２Ｂ…第２ゲート、５３…リンク機構、５６…操作部、５６ｂ…突起部分。
【図１】
2018154472.tif 000003
【図２】
2018154472.tif 000004
【図３】
2018154472.tif 000005
【図４】
2018154472.tif 000006